(57)【要約】    【課題】Ｈ形鋼を用いた仮設ガードレールの移動装置は、回動脚部及び車輪がＨ形鋼のフランジの外面に設けられ、これらを操作するハンドルがＨ型鋼の終端より外方へ延びているので、作業員が躓いたり、車両が接触したりして甚だ危険である。    【解決手段】本発明にかかるキャスター内蔵型移動仮設防護柵は、Ｈ形鋼(1)のウェブ(2)の一面(2a)に支柱(3)を介して防護材(4)を取り付ける。該ウェブ(2)の両端部に該ウェブ(2)を貫通して自身の軸線(X)上で移動調節自在の操作具(5)を配設する。該操作具(5)の該ウェブ(2)の他面(2b)側に回り止め(6)を介して一対の自在キャスター(7)を配設する。そして、該一対の自在キャスター(7)が、該Ｈ形鋼(1)のフランジ(8)の一側縁水準(L)に対し、該操作具(5)の行程(S)の一端(P1)で外側に臨出し、他端(P2)で内側に収まるようになっている。【選択図】  図１
2006207242.tif 000002
【特許請求の範囲】
【請求項１】
Ｈ形鋼(1)のウェブ(2)の一面(2a)に支柱(3)を介して防護材(4)を取り付け、
該ウェブ(2)の両端部に該ウェブ(2)を貫通して自身の軸線(X)上で移動調節自在の操作具(5)を配設し、
該操作具(5)の該ウェブ(2)の他面(2b)側に回り止め(6)を介して一対の自在キャスター(7)を配設し、
該一対の自在キャスター(7)が、該Ｈ形鋼(1)のフランジ(8)の一側縁水準(L)に対し、該操作具(5)の行程(S)の一端(P1)で外側に臨出し、他端(P2)で内側に収まるようになっている
ことを特徴とするキャスター内蔵型移動仮設防護柵。
【請求項２】
該操作具(5)はねじ桿部(11)を包含し、該ねじ桿部(11)は、該ウェブ(2)に固定したナット(12)を旋通し、該一面(2a)側に回転用の入力部(13)を備えている請求項１に記載のキャスター内蔵型移動仮設防護柵。
【請求項３】
該行程(S)は表示部(14)によって表示されている請求項１又は２に記載のキャスター内蔵型移動仮設防護柵。
【請求項４】
該操作具(5)は該一面(2a)側の端部に係合用部(15)を備えている請求項１、２又は３に記載のキャスター内蔵型移動仮設防護柵。
【請求項５】
該操作具(5)は該他面(2b)側の端部に大径部(16)を備え、該大径部(16)がボス(17)に回転自在かつ脱出不可能に収容され、該ボス(17)が該回り止め(6)に取り付けられている請求項1、２、３又は４に記載のキャスター内蔵型移動仮設防護柵。
【請求項６】
該入力部(13)は該操作具(5)に固定されたナット(18)である請求項２に記載のキャスター内蔵型移動仮設防護柵。
【請求項７】
該回り止め(6)は板材で、その全長(d)は、両フランジ(8,8)間の内寸(D)に対し、両フランジ(8,8)間で自身が水平回転できない寸法となっている請求項1から６の一つの項に記載のキャスター内蔵型移動仮設防護柵。
【発明の詳細な説明】
【技術分野】
【０００１】
本発明はキャスター内蔵型移動仮設防護柵にかかり、道路工事等において車両の通行を一時的に規制するために使用される仮設防護柵のうち、移動型のものの改良に関する。
【背景技術】
【０００２】
仮設ガードレール用移動装置として特開２００２−３７５９３号公報が開示されている。Ｈ型鋼を使用したもので、相対する一対のフランジ（３）の端部外面に回動脚部（２４）を回転中心軸（２３）により枢着し、この回動脚部の下部に車輪（２８）を設け、上部にハンドル（３５）を設ける。ハンドル（３５）で回動脚部（２４）を揺動すると、回動脚部（２４）同士を連結している連結部材（２６）がフランジ（３）の上縁と接触する離れた二つの点の一方で車輪（２８）はフランジの下縁レベルから上の位置に静止し、他方で車輪（２８）はフランジの下縁レベルより下の位置に臨出して静止する。従って、ハンドル操作で車輪位置を調整することにより、仮設ガードレールの静止と移動ができる。  
【特許文献１】特開２００２−３７５９３号公報
【発明の開示】
【発明が解決しようとする課題】
【０００３】
特開２００２−３７５９３号に示された仮設ガードレール用移動装置は、回動脚部（２４）及び車輪（２８）がフランジ（３）の外面に設けられているので、邪魔であり、車両がこれに触れると損傷したり、仮設ガードレールが倒れたりするので、甚だ危険でもある。更に、ハンドル（３５）がＨ型鋼の終端より外方へ延びているので、作業員が躓いたりして邪魔であると共に危険でもある。
本発明は、移動式でありながらこのような邪魔物のない、しかも安全なキャスター内蔵型移動仮設防護柵を提供することを目的とする。
【課題を解決するための手段】
【０００４】
本発明にかかるキャスター内蔵型移動仮設防護柵は、Ｈ形鋼のウェブの一面に支柱を介して防護材を取り付ける。該ウェブの両端部に該ウェブを貫通して自身の軸線上で移動調節自在の操作具を配設する。該操作具の該ウェブの他面側に回り止めを介して一対の自在キャスターを配設する。そして、該一対の自在キャスターが、該Ｈ形鋼のフランジの一側縁水準に対し、該操作具の行程の一端で外側へ臨出し、他端で内側に収まるようになっている。
【０００５】
Ｈ形鋼は仮設防護柵として必要な長さを有し、両側のフランジの各一側縁が地面に接するように横倒しの状態で使用される。このＨ形鋼のウェブの上面に、このウェブの長さ方向に適当な間隔で、支柱が複数本設立される。防護材は車両の通行を遮断する目的を有するもので、警告板のような短尺物の場合は各支柱に取り付けられ、ガードレールやガードロープ等の長尺物の場合は支柱間に架設される。
【０００６】
操作具はウェブに穿った透孔を貫通しており、その軸線上の該ウェブに対する移動量を調節できる。該操作具に該ウェブの下側で回り止めを介して一対の自在キャスターが配設される。この回り止めは一対の自在キャスターがＨ形鋼の長手方向に整列しないようにするためのもので、これにより仮設防護柵の転倒を防ぐ。該操作具を調節して該一対の自在キャスターの車輪の回転面をフランジの下縁より下方へ臨出させると、フランジの下縁が路面から浮き上がるので、この仮設防護柵を手動で移動させられる。この仮設防護柵を設置位置に静止させたいときは、該操作具を調節して該一対の自在キャスターの車輪の回転面をフランジの下縁より上方へ収め、フランジの下縁を路面に接触させればよい。
【０００７】
該操作具はねじ桿部を包含し、該ねじ桿部は、該ウェブに固定したナットを旋通し、該一面側に回転用の入力部を備えていてもよい。
こうすると、入力部に対する小さな回転力で一対の自在キャスターをウェブに対し移動させることができる。従って、キャスターのＨ形鋼の溝に対する出入を楽に行える。
【０００８】
該行程は表示部によって表示されてもよい。
こうすると、該操作具を操作する際、ウェブによってキャスターの位置を透視できなくても、この表示部によってその位置を容易に確定できる。
【０００９】
該操作具は該一面側の端部に係合用部を備えていてもよい。
こうすると、仮設防護柵を長手方向に複数個並べて双方の相対する係合用部をワイヤーや鎖等の連結材で連結することにより、任意の全長を有する仮設防護柵を構成できる。
【００１０】
該操作具は該他面側の端部に大径部を備え、該大径部がボスに回転自在かつ脱出不可能に収容され、該ボスが該回り止めに取り付けられていてもよい。
こうすると、該操作具と該回り止めは互いに連結されながら回転動作に対しては互いに無関係で、該操作部の回転操作により該回り止めを昇降させて一対のキャスターの出入を操作できる。
【００１１】
該入力部は該操作具に固定されたナットであってもよい。
こうすると、該操作具の操作をレンチの使用で簡単にできる。
【００１２】
該回り止めは板材でその全長は、両フランジ間の内寸に対し、両フランジ間で自身が水平回転できない寸法となっていてもよい。
こうすると、一対の自在キャスターの取り付けは容易で、該操作具を回転しても回り止めは両端がフランジ面に当接して回転できず、昇降するのみとなり、自在キャスターの出入も容易にできる。    
【発明の効果】
【００１３】
本発明にかかるキャスター内蔵型移動仮設防護柵によれば、Ｈ形鋼のウェブの両端部に該ウェブを貫通して自身の軸線上で移動調節自在の操作具を配設し、該操作具の該ウェブの他面側に回り止めを介して一対の自在キャスターを配設したので、該操作具を操作して一対の自在キャスターの水準を調節することにより、この仮設防護柵の移動や、所定位置での静止に適合させることができる。即ち、該操作具を操作して該一対の自在キャスターの車輪の回転面を相対する一対のフランジの一側縁水準より外方へ臨出させて両フランジの各一側縁を路面から浮き上がらせれば、車輪が路面に接するので、車輪の回転により仮設防護柵を軽く移動できる。また、該操作具を調節して該一対の自在キャスターの車輪の回転面をフランジの一側縁水準より内方へ収めれば、両フランジの各一側縁が路面に接触するので、仮設防護柵は自重によりその位置に静止し、多少の衝撃では動くことがなく、仮設防護柵としての機能を果たす。
【００１４】
請求項２によれば、該操作具はねじ桿部を包含し、該ねじ桿部は、該ウェブに固定したナットを旋通し、該一面側に回転用の入力部を備えているので、入力部に対する小さな回転力で一対の自在キャスターをウェブに対し移動させることができる。従って、キャスターのＨ形鋼の溝に対する出入を楽に行える。
【００１５】
請求項３によれば、該行程は表示部によって表示されているので、該操作具を操作する際、ウェブによってキャスターの位置を透視できなくても、この表示部によってその位置を容易に確定できる。
【００１６】
請求項４によれば、該操作具は該一面側の端部に係合用部を備えているので、仮設防護柵を長手方向に複数個並べて双方の相対する係合用部をワイヤーや鎖等の連結材で連結することにより、任意の全長を有する仮設防護柵を構成できる。
【００１７】
請求項５によれば、該操作具は該他面側の端部に大径部を備え、該大径部がボスに回転自在かつ脱出不可能に収容され、該ボスが該回り止めに取り付けられているので、該操作具と該回り止めは互いに連結されながら回転動作に対しては互いに無関係で、該操作部の回転操作により該回り止めを昇降させて一対のキャスターの出入を操作できる。
【００１８】
請求項６によれば、該入力部は該操作具に固定されたナットなので、該操作具の操作をレンチの使用で簡単にできる。
【００１９】
請求項７によれば、該回り止めは板材でその全長は、両フランジ間の内寸に対し、両フランジ間で自身が水平回転できない寸法となっているので、一対の自在キャスターの取り付けは容易で、該操作具を回転しても回り止めは両端がフランジ面に当接して回転できず、昇降するのみとなり、自在キャスターの出入も容易にできる。    
【発明を実施するための最良の形態】
【００２０】
図面は本発明にかかるキャスター内蔵型移動仮設防護柵の具体例を示すもので、全図を通し、同一符号は同一若しくは相応部分を示す。
【００２１】
１はＨ形鋼、２はそのウェブで、このウェブ２はその一面２ａに支柱３を介して防護材４が取り付いている。このウェブ２の両端部に、このウェブ２を貫通して自身の軸線Ｘ上で移動調節自在の操作具５を配設する。この操作具５のウェブ２の他面２ｂ側に、回り止め６を介して一対の自在キャスター７を配設する。この一対の自在キャスター７が、Ｈ形鋼１のフランジ８の一側縁水準Lに対し、操作具５の行程Ｓの一端Ｐ１で外側に臨出し、他端Ｐ２で内側に収まるようになっている。
【００２２】
Ｈ形鋼１は仮設防護柵として必要な長さを有し、両側のフランジ８の各一側縁が地面Ｇに接するように横倒しの状態で使用される。この状態のＨ形鋼１のウェブ２の上面に、このウェブ２の長さ方向に適当な間隔で、支柱３が複数本設立される。防護材４は車両の通行を遮断する目的を有するもので、警告板のような短尺物の場合は各支３柱に取り付けられ、ガードレールやガードロープ等の長尺物の場合は支柱３、３間に架設される。
【００２３】
操作具５はウェブ２に穿った透孔を貫通しており、その軸線上の該ウェブに対する移動量を調節できる。該操作具に該ウェブの下側で回り止めを介して一対の自在キャスターが配設される。この回り止めは一対の自在キャスターがＨ形鋼の長手方向に整列しないようにするためのもので、これにより仮設防護柵の転倒を防ぐ。該操作具を調節して該一対の自在キャスターの車輪の回転面をフランジの下縁より下方へ臨出させると、フランジの下縁が路面から浮き上がるので、この仮設防護柵を手動で移動させられる。この仮設防護柵を設置位置に静止させたいときは、該操作具を調節して該一対の自在キャスターの車輪の回転面をフランジの下縁より上方へ収め、フランジの下縁を路面に接触させればよい。
【００２４】
操作具５はねじ桿部１１を包含しており、このねじ桿部１１は、ウェブ２に固定したナット１２を旋通し、一面２ａ側に回転用の入力部１３を備えている。
この場合、入力部１３に対する小さな回転力で一対の自在キャスター７をウェブ２に対し移動させることができる。従って、キャスター７のＨ形鋼１の溝１９に対する出入を楽に行える。
【００２５】
行程Ｓは表示部１４によって表示されている。
この場合、操作具５を操作する際、ウェブ２によってキャスター７の位置を透視できなくても、この表示部１４によってその位置を容易に確定できる。
【００２６】
操作具５は一面２ａ側の端部に係合用部１５を備えている。
この場合、仮設防護柵を長手方向に複数個並べて双方の相対する係合用部１５、１５をワイヤーや鎖等の連結材で連結することにより、任意の全長を有する仮設防護柵を構成できる。
【００２７】
操作具５は他面２ｂ側の端部に大径部１６を備え、この大径部１６がボス１７に回転自在かつ脱出不可能に収容され、このボス１７が回り止め６に取り付けられている。
この場合、操作具５と回り止め６は互いに連結されながら回転動作に対しては互いに無関係で、操作部５の回転操作により回り止め６を昇降させて一対のキャスター７の出入を操作できる。
【００２８】
入力部１３は操作具５に固定されたナット１８となっている。
この場合、操作具５の操作をレンチの使用で簡単にできる。
【００２９】
回り止め６は板材でその全長Ｄは、両フランジ８、８間の内寸ｄに対し、両フランジ間で自身が水平回転できない寸法となっている。
この場合、一対の自在キャスター７、７の取り付けは容易で、操作具５を回転しても回り止め６は両端がフランジ８の面に当接して回転できず、昇降するのみとなり、自在キャスター７の出入も容易にできる。
【図面の簡単な説明】
【００３０】
【図１】本発明にかかるキャスター内蔵型移動仮設防護柵の具体例を、操作具５の部分で切断して示す端面図である。
【図２】同防護柵の端部を示す図で、操作具５の部分における切断側面図である。
【図３】同防護柵の概略斜面図である。
【符号の説明】
【００３１】
１      Ｈ形鋼
２      ウェブ
２ａ    一面
２ｂ    他面
３      支柱
４      防護材
５      操作具
６      回り止め
７      自在キャスター
８      フランジ
１１    ねじ桿部
１２    ナット
１３    入力部
１４    表示部
１５    係合用部
１６    大径部
１７    ボス
１８    ナット
１９    溝  
【図１】
2006207242.tif 000003
【図２】
2006207242.tif 000004
【図３】
2006207242.tif 000005